(57)【特許請求の範囲】
【請求項１】
複数の静止画データを有する第１領域と、グループレベルで第１領域中の静止画を最大個数のグループにして静止画を管理するために、第１領域とは別に少なくとも一つの静止画グループ情報を有する第２領域とを備えた記録媒体の再生方法であって、
静止画グループ中の静止画のサイズと静止画グループの開始位置情報とを含む静止画グループ情報を読み出す段階と、
読み出された静止画グループ情報に応じて所望の静止画位置を計算する段階と、
計算位置に位置する所望の静止画を再生する段階と、
を有する記録媒体の再生方法。
【請求項２】
前記静止画グループ情報は、
各静止画グループの開始位置と各静止画グループ中のビデオパートの個数に関する情報を含む静止画グループ一般情報と、
位置情報を含む、各静止画グループの静止画情報と、
を有することを特徴とする請求項１に記載の再生方法。
【請求項３】
前記静止画の位置情報は、静止画のビデオパートのサイズ情報を有することを特徴とする請求項２に記載の再生方法。
【請求項４】
前記静止画の位置情報は、さらに、静止画に加えられたオーディオ用のオーディオパートのサイズ情報と、その再生時間情報と
を有することを特徴とする請求項３に記載の再生方法。
【請求項５】
前記第１領域は、さらに、静止画に関連したオーディオデータを有することを特徴とする請求項１に記載の再生方法。
【請求項６】
前記静止画情報は、各静止画グループの開始位置情報と各静止画グループの多数のビデオパートに関する情報とを含む静止画グループ一般情報と、
静止画のサイズ情報と対応オーディオデータのサイズ情報とそれらの再生時間情報とを含む、各静止画グループ内の静止画情報と
備えた請求項５に記載の再生方法。
【請求項７】
前記静止画の再生は、第１領域の静止画と静止画グループ情報に基づいた静止画に関連したオーディオデータとを再生することを含むことを備えた請求項５記載の再生方法。
【請求項８】
前記所望の静止画位置の計算段階は、所望の静止画を有する、読み出された静止画グループ情報中の静止画グループの開始位置と、所望の静止画に先行するデータのサイズとを合算することを具備することを特徴とする請求項１に記載の再生方法。
【請求項９】
さらに、記録媒体は、静止画の再生に伴って、静止画の一つに対応した後に連続的に付加されて記録されたオーディオデータを具備し、
再生情報によって再生される静止画グループ情報を読み出す段階と、
読み出された静止画グループ情報によって所望の静止画の第１位置を計算し、計算された第１段階の位置の所望の静止画を再生する段階と、
読み出された静止画グループ情報によって所望の静止画に付加されたオーディオデータの第２位置を計算し、計算された第１位置のオーディオデータを再生する段階と、
を具備することを特徴とする請求項１に記載の再生方法。
【請求項１０】
第１位置の計算段階は、所望の静止画を有する、読み出された静止画グループ情報中の静止画グループの開始位置と、所望の静止画に先行するデータのサイズとを合算する段階を具備するとともに、
第２位置の計算段階は、静止画の計算された第１位置と、計算された第１段階の位置における所望の静止画のビデオパートのサイズとを合算する段階
を具備することを特徴とする請求項９に記載の再生方法。
【請求項１１】
さらに前記静止画の再生段階は、再生情報と、再生される静止画グループ情報とを読み出す段階と、
読み出された静止画グループ情報をチェックし、静止画が、ビデオパートだけを持っているのか、それともそれに付加されたオーディオデータを持っているか否かを判断する段階と、
もし、静止画がビデオパートだけを持っている場合には、所望の静止画の第１位置を計算し、計算された第１位置に位置する所望の静止画を再生する段階と、
もし、静止画がそれに付加されたオーディオデータを有する場合には、静止画の第１位置と、付加されたオーディオデータの第２位置を計算し、計算された第１・第２位置に位置する静止画とオーディオデータとを再生する段階
を具備することを特徴とする請求項１に記載の再生方法。
【請求項１２】
前記所望の静止画の第１位置の計算は、所望の静止画を含む、読み出された静止画グループ情報中の静止画グループの開始位置と、所望の静止画に先行するデータのサイズとを合算する段階を有し、
前記オーディオデータの第２位置の計算は、所望の静止画の計算された第１位置と、所望の静止画のビデオパートのサイズを合算する段階
を有することを特徴とする請求項１１に記載の再生方法。
【請求項１３】
さらに、前記記録媒体は、静止画の再生に伴って静止画の後に連続して記録された静止画に対応するオーディオデータを具備し、
再生情報と、再生される静止画グループ情報を読み出す段階と、
所望の静止画だけを再生するか、または、所望の静止画とユーザからの要求により静止画グループ情報を用いて対応オーディオデータとの両方を再生する段階
を有することを特徴とする請求項１に記載の再生方法。
【請求項１４】
所望の静止画だけの再生は、
所望の静止画を有する、読み出された静止画グループ情報中の静止画グループの開始位置と、所望の静止画に先行するデータのサイズとを合算することによって決定された第１位置に位置する所望の静止画の再生段階と、
所望の静止画の第１位置と所望の静止画のビデオパートのサイズとを合算することによって決定された第２位置に位置するオーディオデータの再生段階と、
を有することを特徴とする請求項１３に記載の再生方法。
【請求項１５】
記録媒体上の静止画を再生する再生装置であって、
前記記録媒体は、
静止画グループ情報と、静止画グループの開始アドレスと、対応静止画グループ内の静止画のサイズと、再生可能な静止画の再生を表示するセル情報とを記録する領域から離れた記録媒体のある領域中の静止画グループに静止画を配置するための静止画グループ情報を有し、
静止画のセル情報と静止画グループ情報を読み出す光ピックアップと、
読み出された静止画グループ情報に基づいて対応静止画の静止画グループの開始アドレスを決定し、対応静止画グループの静止画より前の全静止画のサイズを決定するための再生プロセッサーと、
を具備し、
前記光ピックアップは、開始アドレスとサイズの合計に基づいて静止画を読み出すものであることを特徴とする再生装置。
【請求項１６】
さらに前記記録媒体は、少なくとも何枚かの静止画の後に連続して記録されるオーディオデータを有してなり、
前記再生プロセッサーは、オーディオデ−タが１枚の静止画の後に連続して付加されるかどうかを決定し、
前記光ピックアップは、１枚の静止画の後に連続してオーディオデータの付加が決定される場合には、静止画に対応するオーディオデータを読み出す
ことを特徴とする請求項１５に記載の再生装置。
【発明の詳細な説明】
【技術分野】
【０００１】
本発明は、再記録可能な記録媒体を用いてオーディオ及び／またはビデオ（Ａ／Ｖ）データを記録及び／または再生する分野に係り、特に静止画及びこれに付加えられるオーディオデータを効率よく処理するための情報を貯蔵する記録媒体及び記録及び／または再生方法並びにその装置に関する。 
【背景技術】
【０００２】
図１は記録及び再記録可能な記録媒体、特にＤＶＤ(Ｄｉｇｉｔａｌ Ｖｅｒｓａｔｉｌｅ Ｄｉｓｋ)上にＡ／Ｖデータを記録再生する場合において、特に動映像における各情報と動映像データの連結構造を示す。即ち、データを論理的に扱うためのＰＧＣ（Ｐｒｏｇｒａｍ ｃｈａｉｎ）情報１１、ＶＯＢ（Ｖｉｄｅｏ Ｏｂｊｅｃｔ）情報からなる動映像情報１２、実際に圧縮されたＡ／ＶデータがＶＯＢ単位で記録されている動映像データファイル１３との関係を示している。
【０００３】
まず、用語を説明すれば次の通りである。映画を上、下編に分けて録画したとすれば、映画全体はＰＧＣとなり、上編、下編は各々プログラムとなる。また、それぞれのプログラムを再び幾つかの小さな単位のセルに分離して定義でき、各々のセル情報は一定の分量の実際の動映像データファイルを示す一つのＶＯＢの全体または一部を指定しうる。この場合、各々のセルは再生時アクセスの基本単位として用いられ、つまりプログラム及びＰＧＣは複数のセルの連結に関する情報にすぎない。
【０００４】
また、実際のデータは動映像データファイル上にＶＯＢＵ（Ｖｉｄｅｏ Ｏｂｊｅｃｔ Ｕｎｉｔ）という単位に細分化して記録されているため、ＶＯＢ情報はこのＶＯＢＵデータのための情報（ＶＯＢＵ＃１、ＶＯＢＵ＃２、．．．）からなり、このＶＯＢ情報に応じて動映像データファイル上のＶＯＢデータを指定する。ここで、ＶＯＢデータはディスク記録再生装置のランダムアクセスの単位として用いられ、ＶＯＢＵはＭＰＥＧ（Ｍｏｖｉｎｇ Ｐｉｃｔｕｒｅ Ｅｘｐｅｒｔｓ Ｇｒｏｕｐ）ビデオの場合、一つのＧＯＰ（Ｇｒｏｕｐ ｏｆ Ｐｉｃｔｕｒｅ）を基準とし、オーディオデータはこれに対応するビデオデータと共に、即ちＡ／Ｖデータをセクター単位で多重化してＶＯＢＵを構成する。
【０００５】
図1に示されたようなデータ構造は動画に関するものであって、実際のデータの構成単位は一定の時間の動映像データであるＶＯＢであり、Ａ／Ｖ信号の同期や符号化方法などが全てＶＯＢ単位でなされる。しかし、静止画の場合は、構成単位が一枚の静止画なので一枚の静止画が一つのＶＯＢを構成することになる。ところが、セル構造において一つのＶＯＢを指定させると、一枚の静止画ごとにセルが必要な構造となる。こうなると、記録される静止画が多くなるほど付加される情報が急に多くなる問題点があった。
【０００６】
また、一般に記録可能なディスクには、所定の回数以上を記録すると、データにエラーが有り得るので記録可能な回数の制限があるが、このような回数の制限と迅速なデータのアクセスのために全ての情報データはシステムを制御するコントローラのメモリに貯蔵して用いる。しかし、前述したような静止画の場合、情報の量が大きくなると全ての情報データを読出すに長時間がかかり、一定した大きさのメモリに全ての情報を貯蔵することもできず、よって大容量の静止画が記録できなくなる問題点があった。
【発明の開示】
【発明が解決しようとする課題】
【０００７】
本発明は前記問題点を解決するために案出されたものであって、大容量の静止画に対して効率よく情報を貯蔵するために大容量の静止画を複数個にグループ化し、これを管理する静止画グループ情報を貯蔵する記録媒体を提供する事にその目的がある。本発明の他の目的は静止画のためのビデオ情報またはオーディオデータが付加えられた静止画のためのビデオ情報及びオーディオ情報からなる静止画グループ情報を記録ビットストリームの記録順に生成して貯蔵する記録媒体を提供する事にある。
【０００８】
本発明のさらに他の目的は大容量の静止画を複数個にグループ化して管理する静止画グループ情報と再生に関連されたセル情報とを記録し、これら情報に応じて静止画を再生する方法を提供する事にある。本発明のさらに他の目的は静止画のためのビデオ情報、またはオーディオデータが付加えられた静止画のためのビデオ情報及びオーディオ情報からなる静止画グループ情報と、再生に関連されたセル情報を記録し、これら情報に応じて静止画またはオーディオデータが付加えられた静止画を再生する方法を提供する事にある。本発明のさらに他の目的は複数枚の静止画データと静止画に付加えられたオーディオデータをグループ化して管理する静止画グループ情報を記録し、これら情報に応じて静止画または静止画及びオーディオデータを再生する装置を提供する事にある。
【課題を解決するための手段】
【０００９】
前記目的を達成するために本発明に係る記録媒体の再生方法は、複数の静止画データを有する第１領域と、グループレベルで第１領域中の静止画を最大個数のグループにして静止画を管理するために、第１領域とは別に少なくとも一つの静止画グループ情報を有する第２領域とを備えた記録媒体の再生方法であって、
静止画グループ中の静止画のサイズと静止画グループの開始位置情報とを含む静止画グループ情報に基づいて第１領域中の静止画を再生する段階と
を有する。
【００１０】
また、本発明に係る装置は、  記録媒体上の静止画を再生する再生装置であって、
前記記録媒体は、
静止画グループ情報と、静止画グループの開始アドレスと、対応静止画グループ内の静止画のサイズと、再生可能な静止画の再生を表示するセル情報とを記録する領域から離れた記録媒体のある領域中の静止画グループに静止画を配置するための静止画グループ情報を有し、
静止画のセル情報と静止画グループ情報を読み出す光ピックアップと、
読み出された静止画グループ情報に基づいて対応静止画の静止画グループの開始アドレスを決定し、対応静止画グループの静止画より前の全静止画のサイズを決定するための再生プロセッサーと、
を具備し、
前記光ピックアップは、開始アドレスとサイズの合計に基づいて静止画を読み出すものであることを特徴とする。
【発明の効果】
【００１１】
複数枚の静止画データと静止画に付加えられたオーディオデータを所定の最大個数以内にグループ化し、これを管理する静止画グループ情報を貯蔵することによって、最小限の情報データを用いて大容量の静止画及びこれに付加えられるオーディオデータの記録再生を可能にする効果がある。また、本発明の静止画グループ情報には記録になる静止画及び付加えられたオーディオデータのビットストリーム順に複数枚の静止画に該当するデータを括って共通する情報を静止画グループ一般情報とし、グループ内部のそれぞれの静止画ごとに該当ビデオパート及びオーディオパート情報を構成することによって効率よく情報を管理しうる。
【発明を実施するための最良の形態】
【００１２】
以下、添付された図面に基づき本発明に係る静止画のための情報を貯蔵する記録媒体及び記録再生方法並びにその装置の望ましい実施例を説明する。図２は本発明に係る全体情報構造の構成例であって、ＰＧＣ情報、動映像情報、静止画情報で構成できる情報データは一つの情報ファイルまたは情報領域に記録されうる。ここで、ＰＧＣ一般情報にはＰＧＣ内のプログラム数などの情報が入っている。プログラム一般情報にはプログラム内のセル数などの情報が入っている。セル情報は動映像の場合には、図１に示されたように、一つのＶＯＢを指定するようになっており、静止画の場合には、図３に示されたように、一つのＶＯＢでない静止画ＶＯＢグループ(静止画グループと略称する)を指定するようになっている。この動映像情報に対しては、既に図1で説明したので、ここでは略し、本発明に係る静止画情報を中心として説明する。静止画情報の静止画一般情報には静止画グループ情報の個数などが入っている。
【００１３】
図３は静止映像における各情報と静止画データとの連結構造を示している。即ち、データファイル上に一枚の静止画がＶＯＢ単位で記録されている場合は複数の静止画ＶＯＢを括って静止画グループに管理し、ＰＧＣ情報２１内のセル情報は一つのＶＯＢでない静止画グループ情報２２を指定する。また、静止画にオーディオデータを付加えて記録でき、静止画に連続してオーディオデータを記録することによって、再生時再生ヘッドのサーチ時間を短縮しうる。このように静止画と同時に記録されたオーディオデータを元オーディオデータと称し、元オーディオデータは静止画グループに含まれる。本発明において静止画とは、単純にビデオパートのみがある静止画とオーディオパートがビデオパートと共に共存する静止画とを全て示す。
【００１４】
このように静止画をグループ化して管理することによって得られる長所は、前述したセル情報の減少の以外に静止画情報も減少される。例えば、静止画グループ内のビデオ符号化の属性やオーディオ符号化の属性を同様にして静止画グループ一般情報を形成し、共通情報として貯蔵する。また、各静止画毎に静止画データファイルにおける位置を示すべきであるが、グループにしない場合はそれぞれの静止画開始位置を示すべきであるものの、グループにする場合には静止画グループ一般情報に該当静止画グループがファイル内で記録される開始位置を貯蔵し、各静止画のための情報ではそれぞれのサイズのみを記録すればよい。一般に静止画データのサイズを示すための情報量（即ち、バイト数）がファイル内における位置を示すための情報量より小さいため全体の情報量を減らしうる。
【００１５】
静止画グループ内の特定の静止画の記録位置を探すためには静止画グループ一般情報にある静止画グループデータの開始位置と探そうとする静止画に先行するデータの大きさを合せればよく、静止画に付加えられたオーディオデータの読出は探された静止画の位置とこの静止画のビデオパートサイズを合せればよい。
【００１６】
静止画グループの場合にはビデオパートとオーディオパートが一つのファイルまたは論理的に一次元的な順序を有する空間に連続して記録されるため、これらデータサイズを含むビデオ情報とオーディオ情報も実際のビデオデータ、オーディオデータが記録されたビットストリーム順に記録される。従って、図３に示される各領域はオーディオデータが付加えられる静止画用ファイル２３と、ＰＧＣ情報２１と静止画情報２２のための情報ファイルとに各々存在しうる。静止画用ファイル２３を第1領域、セル情報２１及び静止画情報２２を含む情報ファイルを第２領域と称でき、この領域は論理的な領域となる。
【００１７】
図4は本発明に係る記録再生装置のブロック図であって、記録／再記録可能なディスクを用いてＡ／Ｖデータを記録再生する装置の機能は記録と再生とに大別される。記録時、ＡＶコデック１１０は外部から入力されるＡ／Ｖ信号を所定の圧縮体系により圧縮符号化し、圧縮されたデータに対するサイズ情報を提供する。ＤＳＰ（Ｄｉｇｉｔａｌ Ｓｉｇｎａｌ Ｐｒｏｃｅｓｓｏｒ）１２０はＡＶコデック１１０から供給されるＡ／Ｖデータを受取ってＥＣＣ（Ｅｒｒｏｒ Ｃｏｒｒｅｃｔｉｏｎ Ｃｏｄｅ）処理のための付加データを付加え、所定の変調体系により変調などを行う。ＲＦ−ＡＭＰ１３０はＤＳＰ１２０から供給されるデータをＲＦ信号に変換する。
【００１８】
ピックアップ部１４０はディスクを駆動させ、ＲＦ−ＡＭＰ１３０からの光学信号をディスクに記録し、フォーカシング及びトラッキングを行なうためのアクチュエータを内装している。サーボ部１５０はＲＦ−ＡＭＰ１３０とシステムコントローラ１６０からサーボ制御に必要な情報を受取って安定したサーボ制御を行う。使用者とのインタフェースを通じてシステムコントローラ１６０はシステム全体を制御しながらグループ単位に静止画がディスク上に記録されるように制御し、記録される静止画に対して別の情報も記録するが、記録される静止画及びオーディオデータの記録順に静止画データのサイズ、オーディオデータのサイズ、オーディオデータの再生時間などの各静止画に対する情報と各静止画グループの位置に対する情報等で静止画グループ情報を構成して静止画データをグループ単位に管理する。このような静止画グループ情報と共に再生順序に関連された情報のセル情報を記録するが、セル情報には記録された静止画グループを示す情報が含まれているため、記録された静止画及びオーディオデータを再生可能にする。
【００１９】
再生時、ピックアップ部１４０はデータを貯蔵しているディスクから光学信号をピックアップし、この光学信号からデータが抽出される。ＲＦ−ＡＭＰ１３０は光学信号をＲＦ信号に変換させ、サーボ制御を行なうためのサーボ信号と変調されたデータを抽出する。ＤＳＰ１２０はＲＦ−ＡＭＰ１３０から供給される変調されたデータを変調時に使用した変調体系に対応して復調し、ＥＣＣ処理を行ってエラーを修正して付加データを取除く。サーボ部１５０はＲＦ−ＡＭＰ１３０とシステムコントローラ１６０からサーボ制御に必要な情報を受取って安定したサーボ制御を行う。
【００２０】
ＡＶコデック１１０はＤＳＰ１２０から供給される圧縮されたＡ／Ｖデータを復号化してＡ／Ｖ信号を出力する。システムコントローラ１６０は使用者のキー入力を処理するなど使用者インタフェースを行いながら、ディスク上に記録されているセル情報及び静止画グループ情報を用いて使用者が所望するデータ（静止画のみまたは静止画＋オーディオデータ）を再生するためにシステム全体を制御する。
【００２１】
即ち、特定の静止画及びオーディオデータを再生するためにはセル情報から再生する静止画がある静止画グループ情報を得て、この静止画グループ情報から静止画データのサイズ情報などを得て、オーディオデータがある場合にはオーディオデータのサイズ及び再生時間に対する情報を得て所望のデータのみを再生することになる。
【００２２】
ここで、記録時のＡＶコデック１１０、ＤＳＰ１２０、ＲＦ−ＡＭＰ１３０、ピックアップ部１４０は記録処理器と称し、再生時のＡＶコデック１１０、ＤＳＰ１２０、ＲＦ−ＡＭＰ１３０、ピックアップ部１４０は再生処理器と称しうる。
【００２３】
図５は本発明に係る静止画データと静止画グループ情報との関係を示す図面であって、各静止画グループ（ＧＶＯＢ）情報２０１には属性（ａｔｔｒｉｂｕｔｅｓ）の同一な複数枚（例えば、最大６４枚）の静止画に対する情報が記録されているが、各静止画グループを構成する複数枚の静止画数は最大静止画数以内で決まる。一つの静止画グループ情報２０２には静止画グループ一般情報とそれぞれの静止画に対する情報とからなり、それぞれの静止画に対する情報は静止画識別情報と、記録されるビットストリーム順にビデオパートまたはビデオパートと、オーディオパートとからなる静止画データ２０３のための情報とからなる。静止画グループ一般情報には該当静止画グループの開始アドレスが貯蔵される。
【００２４】
また、オーディオデータが存在する静止画の場合にそれぞれの静止画のための情報は、ビデオパートのためのビデオパート情報とオーディオパートのためのオーディオパート情報とからなるマップ情報として存在し、この時一つの静止画に対するビデオマップ（ＶＭＡＰ）及びオーディオマップ（ＡＭＡＰ）は同一な識別情報を有する。一方、１枚の静止画がビデオパートのみで構成される場合にこの静止画に対する情報は、ビデオパート情報のみがマップとして存在する。ここで、一つのＶＯＢには一枚の静止画データが記録される。
【００２５】
図６は再生順序と関連された表示に関する論理的な単位のセルに対した情報（再生情報と称する）、静止画グループ情報との関係を示す図面であって、セル情報は静止画グループの識別情報ＧＶＯＢ＿ＩＤ、該当静止画グループ内の静止画再生開始識別情報ＳＴＡＲＴ ＶＯＢ＿ＩＤと静止画再生終了識別情報ＥＮＤＶＯＢ＿ＩＤを含み、このセル情報は静止画グループ全体に該当されることもあり、使用者が再生を所望する静止画グループの一部を示すこともある。
【００２６】
図７は本発明に係る静止画グループ情報の構造を示す図面であって、この静止画グループ情報は静止画グループ一般情報と静止画マップテーブルとから構成され、ピクチャーサイズ、映像符号化モードのような静止画属性情報をさらに含むことができる。
【００２７】
図８は図７に示された静止画グループ一般情報の詳細内容の一例を示すテーブルであって、この静止画グループ一般情報は静止画用ファイルで静止画グループを識別するための情報としてＧＶＯＢ＿ＩＤ、静止画用ファイルで該当静止画グループ内の最初の静止画データが始まる開始アドレスを示すＧＶＯＢ＿Ｓ＿ＡＤＲ、静止画グループ内の静止画の個数を示すＧＶＯＢ＿Ｎｓなどを含む。ここで、識別情報ＧＶＯＢ＿ＩＤは静止画用ファイル内において静止画グループ毎に唯一のものと明示されることもあり、静止画グループ順に＃１、＃２、．．．等に暗示されることもある。
【００２８】
図９は図７に示された静止画マップテーブルの構造の例であって、ｎ個のマップから構成されるマップには２つのタイプのマップがあるが、１つはビデオパートのためのビデオマップ（ＶＭＡＰ）であり、他の１つは静止画に存在するオーディオパートのためのオーディオマップ（ＡＭＡＰ）である。マップの順序は、図５に示されたように、静止画用ファイルにおける記録ビットストリームのデータ順序と同一である。従って、静止画がビデオパートのみある場合はビデオマップのみあり、オーディオパートが共にある場合はビデオマップとオーディオマップが共に記録されるが、実質的には同一な識別情報を使用する一つのマップと見なしうる。
【００２９】
図１０は、図９に示されたマップテーブルにおいて、ビデオマップの詳細内容の一例を示すテーブルであって、該当マップのタイプを示し、ビデオパートのためのビデオマップの場合２進数で“０”のＭＡＰ＿ＴＹ、このビデオパートのための識別情報ＶＯＢ＿ＩＤを含み、このＶＯＢ＿ＩＤは望ましい実施例として１から６４までを示し、また、ＶＯＢ＿ＩＤは明示されることも、記録された順序通り＃１、＃２、＃３、．．．に暗示されることもできる。また、ビデオマップはビデオパートのサイズを示すＶ＿ＰＡＲＴ＿ＳＺを含む。ここで、ＶＯＢ＿ＩＤとＶ＿ＰＡＲＴ＿ＳＺは静止画位置情報として称されることがある。
【００３０】
図１１はオーディオマップの詳細内容の一例を示すテーブルであって、該当マップのタイプを示し、オーディオパートのためのオーディオマップの場合２進数で“１”のＭＡＰ＿ＴＹ、オーディオデータの再生時間を示すＡ＿ＰＢＴＭ、オーディオパートのサイズを示すＡ＿ＰＡＲＴ＿ＳＺなどを含む。図１２は図６に示された再生情報のセル情報の詳細内容を示すテーブルであって、静止画グループの識別情報を示すＳ＿ＧＶＯＢ＿ＩＤ、該当静止画グループ内において再生開始静止画の識別情報を示すＳ＿ＶＯＢ＿ＩＤと再生終了静止画の識別情報を示すＥ＿ＶＯＢ＿ＩＤなどを含む。
【００３１】
図１３（Ａ）及び図１３（Ｂ）は本発明に係る静止画記録方法の一実施例に係る流れ図であって、静止画とオーディオデータを記録する方法を示している。まず、静止画のみを記録するか、または静止画と同時にオーディオデータを記録するかを設定する（Ｓ１０１段階）。静止画グループ情報を生成してグループ識別情報を割当て、静止画グループ内の静止画数を“０”に設定し、静止画用ファイル内の静止画グループ開始位置を記録する（Ｓ１０２段階）。使用者から静止画記録開始信号が入力されるかを判断し（Ｓ１０３段階）、記録開始信号が入力されると静止画用ファイルに静止画を記録しながらビデオマップ内に記録される静止画のための識別情報を割当てて静止画グループ情報内の静止画数を一枚増加させ、ビデオマップ内に静止画サイズ情報を記録する（Ｓ１０４段階）。
【００３２】
使用者設定が静止画と同時にオーディオを記録するモードなのかを判断し（Ｓ１０５段階）、使用者設定が静止画とオーディオデータとを記録するモードなら静止画に対するオーディオデータを静止画用ファイルに該当静止画に連続して記録しながら静止画グループ情報内のオーディオマップにオーディオパートのサイズ情報を記録する（Ｓ１０６段階）。
【００３３】
記録された静止画数が一つの静止画グループ（例えば、最大６４枚）を構成しているかを判断し（Ｓ１０７段階）、一つの静止画グループ情報が構成されると他の静止画グループ情報を生成するためにＳ１０２段階に進行し、そうでなければ使用者から静止画記録開始信号が入力されているかを判断するＳ１０３段階に進行する。
【００３４】
Ｓ１０５段階において使用者設定が静止画のみを記録するモードならＳ１０６段階を経なく次の静止画を記録するためにＳ１０７段階に進行し、Ｓ１０３段階において使用者から静止画記録開始信号が入力されないと記録を終了するかを判断し（Ｓ１０８段階）、記録を終了すると判断されるとセル情報を記録してから終了する（Ｓ１０９段階）。ここで、セル情報は全ての静止画グループ毎に一つずつ生成されて全ての静止画が再生されるように作られる。
【００３５】
図１４は本発明の静止画再生方法の一実施例に係る流れ図であって、静止画とこれに付加えられるオーディオデータとを再生する方法が示されている。図１４において、先にＰＧＣ情報とセル情報とを読出し（Ｓ２０１段階）、このセル情報から再生しようとする静止画グループ識別情報、再生開始識別情報、再生終了識別情報などを読出してセルが示す静止画グループ情報を読出す（Ｓ２０２段階）。読出された静止画グループ情報内に再生開始識別情報に該当されるビデオパートのためのビデオマップ情報を得てビデオパートのサイズなどを読出し、オーディオデータがある静止画ならビデオ及びオーディオパートのためのビデオマップとオーディオマップ情報とを得てビデオパートのサイズ及びオーディオパートのサイズ情報などを読出す（Ｓ２０３段階）。
【００３６】
読出されたビデオパート情報に応じて静止画位置を計算し、この計算された位置のビデオデータを読出、復号化して静止画を再生する（Ｓ２０４段階）。ここで、所望の静止画位置は、静止画グループ開始位置と探そうとする静止画に先行するデータのサイズを合せて得る。静止画を再生した場合には、静止画にオーディオデータが付加えられているかを判断し（Ｓ２０５段階）、静止画にオーディオデータが付加えられているとオーディオデータを読出、復号化してオーディオデータを再生する（Ｓ２０６段階）。ここで、オーディオデータの読出位置は計算された静止画位置とこの静止画のビデオパートのサイズを合せて得る。セル情報を用いてセルに属する静止画を全て再生したかをチェックした後、次に再生する静止画が残っているかを判断し（Ｓ２０７段階）、再生する静止画が残っている場合には次の静止画のビデオパートのための情報を読出すＳ２０３段階を進行し、そうでなければ終了する。複数のセル情報がある場合にはこの過程を繰返す。
【００３７】
ここで、静止画にオーディオデータが付加えられているかを判断するＳ２０５段階を、静止画グループ情報を読出すＳ２０２段階の直後に行えるが、読出された静止画グループ情報に応じてビデオパートのためのマップに連続してオーディオパートのためのマップが付加えられていると静止画にオーディオデータが付加えられていることを判断できるからである。
【００３８】
本発明は使用者インタフェースを通じて静止画のみを再生するか、または静止画とオーディオデータとを再生するかを設定し、設定されたモードに応じて再生することもできる。
【図面の簡単な説明】
【００３９】
【図１】動映像における各情報と動映像データとの連結構造を示す図面である。
【図２】本発明に係る全体情報構造の構成例である。
【図３】本発明に係る静止映像における各情報と静止画データとの連結関係を示す図面である。
【図４】本発明に係る記録再生装置のブロック図である。
【図５】本発明に係る静止画データとこの静止画グループ情報との関係を示す図面である。
【図６】セル情報と静止画グループ情報との関係を示す図面である。
【図７】本発明に係る静止画グループ情報の構造を示す図面である。
【図８】図７に示された静止画グループ一般情報の詳細内容の一例を示すテーブルである。
【図９】図７に示された静止画マップテーブルの構造である。
【図１０】図９に示されたマップのためのビデオマップの詳細内容の一例を示すテーブルである。
【図１１】図１０に示されたビデオマップと連結されるオーディオマップの詳細内容の一例を示すテーブルである。
【図１２】図６に示された静止画のためのセル情報の詳細内容の一例を示すテーブルである。
【図１３】本発明の静止画記録方法の一実施例に係る流れ図である。
【図１４】本発明の静止画再生方法の一実施例に係る流れ図である。
【符号の説明】
【００４０】
１１０  ＡＶコデック（ＡＶ−ＣＯＤＥＣ）
１２０  ＤＳＰ(Digital Signal Processor)
１３０  ＲＦ−ＡＭＰ
１４０  ピックアップ部
１５０  サーボ部
１６０  システムコントローラ
２０１  静止画グループ（ＧＶＯＢ）情報
２０２  静止画グループ情報
２０３  静止画データ
【図１】
0004762557.tif 000002
【図２】
0004762557.tif 000003
【図３】
0004762557.tif 000004
【図４】
0004762557.tif 000005
【図５】
0004762557.tif 000006
【図６】
0004762557.tif 000007
【図７】
0004762557.tif 000008
【図８】
0004762557.tif 000009
【図９】
0004762557.tif 000010
【図１０】
0004762557.tif 000011
【図１１】
0004762557.tif 000012
【図１２】
0004762557.tif 000013
【図１３】
0004762557.tif 000014
【図１４】
0004762557.tif 000015